(57)【要約】  いくつかの態様に従って、保護されたリソース上および保護されていないリソース上でチャネル状態情報（ＣＳＩ）を非周期的にレポートするための技術が提供される。保護されたリソースは、第２のセルにおける伝送を制限することによって第１のセルにおける伝送が保護されるリソースを含むことができる。いくつかの態様によれば、チャネル品質インジケータ（ＣＱＩ）要求は第１のサブフレームで送信されることができ、ＣＱＩは第１のサブフレームからの第１のオフセットを有する第２のサブフレームに関して測定されることができ、対応するＣＱＩレポートは第１のサブフレームからの第２のオフセットを有する第３のサブフレームで送信される。
2013528031.tif 000002
【特許請求の範囲】
【請求項１】
ワイヤレス通信のための方法であって、
第１のサブフレームでチャネル品質インジケータ（ＣＱＩ）要求を受信することと、
前記第１のサブフレームからの第１のオフセットを有する第２のサブフレームに対して第１のＣＱＩを決定することと、
前記第１のサブフレームからの第２のオフセットを有する第３のサブフレームにおいて前記第１のＣＱＩを備えるレポートを送信することと
を備える方法。
【請求項２】
上位層のシグナリングによるかまたは前記ＣＱＩ要求によって前記第１のオフセットを受信することをさらに備える請求項１に記載の方法。
【請求項３】
可能なオフセットの範囲全体を循環し、ＣＱＩ要求ごとに異なるオフセットを選択することによって前記第１のオフセットを決定することをさらに備える請求項１に記載の方法。
【請求項４】
上位層のシグナリングによるかまたは前記要求によって前記第２のオフセットを受信することをさらに備える請求項１に記載の方法。
【請求項５】
前記第２のオフセットは、１つのインタレースの異なるサブフレームに対応する複数の可能なオフセットのうちの１つである請求項１に記載の方法。
【請求項６】
前記第３のサブフレームの前の少なくとも１つの追加サブフレームに対して第２のＣＱＩを決定することと、
前記第１と第２のＣＱＩを備えるレポートを生成することと
をさらに備える請求項１に記載の方法。
【請求項７】
前記第２のサブフレームが基地局に割り当てられ、少なくとも１つの干渉する基地局からの低減された干渉を有するかまたは少なくとも１つの干渉する基地局からの干渉を有しない請求項１に記載の方法。
【請求項８】
前記第２のサブフレームが基地局に割り当てられ、少なくとも１つの干渉する基地局からの低減された干渉を有するかまたは少なくとも１つの干渉する基地局からの干渉を有さず、前記少なくとも１つの追加サブフレームが前記基地局に割り当てられない請求項６に記載の方法。
【請求項９】
前記第２のサブフレームに対してランク指標（ＲＩ）を決定することと、
前記第１のＣＱＩと前記ＲＩとを備えるレポートを生成することと
をさらに備える請求項１に記載の方法。
【請求項１０】
前記第２のサブフレームに対してプリコーディングマトリクスインジケータ（ＰＭＩ）を決定することをさらに備え、前記レポートが前記ＰＭＩをさらに備える請求項９に記載の方法。
【請求項１１】
前記第２のサブフレームに対して第１のランク指標（ＲＩ）を決定することと、
前記第１と第２のＣＱＩと前記第１のＲＩとを備えるレポートを生成することと
をさらに備える請求項６に記載の方法。
【請求項１２】
前記少なくとも１つの追加サブフレームに対して第２のＲＩを決定することをさらに備え、前記レポートが前記第２のＲＩをさらに備える請求項１１に記載の方法。
【請求項１３】
単一のサブフレームに対する単一のＣＱＩまたは複数のサブフレームに対する複数のＣＱＩをレポートする指示を受信することをさらに備え、前記指示が複数のＣＱＩをレポートすることを指示する場合に前記第２のＣＱＩが決定される請求項６に記載の方法。
【請求項１４】
上位層のシグナリングによるかまたは前記ＣＱＩ要求によって前記指示が受信される請求項１３に記載の方法。
【請求項１５】
前記第１のＣＱＩに基づいて送信されたデータ伝送を受信することをさらに備える請求項１に記載の方法。
【請求項１６】
前記第１のサブフレームでダウンリンク許可と前記ＣＱＩ要求とを受信することと、
前記第１のサブフレームでデータ伝送を受信することと、
前記第３のサブフレームの前の第４のサブフレームで前記データ伝送に対する肯定確認応答（ＡＣＫ）または否定応答（ＮＡＣＫ）を送信することと
をさらに備える請求項１に記載の方法。
【請求項１７】
前記第１のサブフレームでダウンリンク許可と前記ＣＱＩ要求とを受信することと、
前記第１のサブフレームでデータ伝送を受信することと、
前記第３のサブフレームで前記データ伝送に対する肯定確認応答（ＡＣＫ）または否定応答（ＮＡＣＫ）と前記レポートとを送信することと
をさらに備える請求項１に記載の方法。
【請求項１８】
前記第１のサブフレームでアップリンク許可と前記ＣＱＩ要求とを受信することと、
前記第１のサブフレームからの固定オフセットを有し前記第３のサブフレームの前にある第４のサブフレームでデータ伝送を送信することと
をさらに備える請求項１に記載の方法。
【請求項１９】
前記第１のサブフレームでアップリンク許可と前記ＣＱＩ要求とを受信することと、
前記第３のサブフレームでデータ伝送と前記レポートとを送信することと
をさらに備える請求項１に記載の方法。
【請求項２０】
ワイヤレス通信のための方法であって、
第１のサブフレームでチャネル品質インジケータ（ＣＱＩ）要求を送信することと、
前記第１のサブフレームからの第１のオフセットを有する第２のサブフレームに対して決定された第１のＣＱＩを備えるレポートを受信することとを備え、前記レポートが、前記第１のサブフレームからの第２のオフセットを有する第３のサブフレームで受信される方法。
【請求項２１】
上位層のシグナリングによるかまたは前記ＣＱＩ要求によって前記第１のオフセットを送信することをさらに備える請求項２０に記載の方法。
【請求項２２】
可能なオフセットの範囲全体を循環し、ＣＱＩ要求ごとに異なるオフセットを選択することによって前記第１のオフセットが決定される請求項２１に記載の方法。
【請求項２３】
上位層のシグナリングによるかまたは前記要求によって前記第２のオフセットを送信することをさらに備える請求項２０に記載の方法。
【請求項２４】
前記第２のオフセットは、１つのインタレースの異なるサブフレームに対応する複数の可能なオフセットのうちの１つである請求項２０に記載の方法。
【請求項２５】
前記第３のサブフレームの前の少なくとも１つの追加サブフレームに対して決定された第２のＣＱＩを前記レポートから入手することをさらに備える請求項２０に記載の方法。
【請求項２６】
前記第２のサブフレームが基地局に割り当てられ、少なくとも１つの干渉する基地局からの低減された干渉を有するかまたは少なくとも１つの干渉する基地局からの干渉を有しない請求項２５に記載の方法。
【請求項２７】
前記第２のサブフレームが基地局に割り当てられ、少なくとも１つの干渉する基地局からの低減された干渉を有するかまたは少なくとも１つの干渉する基地局からの干渉を有さず、前記少なくとも１つの追加サブフレームが前記基地局に割り当てられない請求項２５に記載の方法。
【請求項２８】
前記第２のサブフレームに対して決定されたランク指標（ＲＩ）を前記レポートから入手することをさらに備える請求項２５に記載の方法。
【請求項２９】
前記第２のサブフレームに対して決定されたプリコーディングマトリクスインジケータ（ＰＭＩ）を前記レポートから入手することをさらに備える請求項２８に記載の方法。
【請求項３０】
前記第２のサブフレームに対して決定された第１のランク指標（ＲＩ）を前記レポートから入手することをさらに備える請求項２５に記載の方法。
【請求項３１】
前記少なくとも１つの追加サブフレームに対して決定された第２のＲＩを前記レポートから入手することをさらに備える請求項３０に記載の方法。
【請求項３２】
単一のサブフレームに対する単一のＣＱＩまたは複数のサブフレームに対する複数のＣＱＩをレポートする指示を送信することをさらに備え、前記指示が複数のＣＱＩをレポートすることを指示する場合に前記第２のＣＱＩが入手される請求項２５に記載の方法。
【請求項３３】
上位層のシグナリングによるかまたは前記ＣＱＩ要求によって前記指示が送信される請求項３２に記載の方法。
【請求項３４】
前記第１のＣＱＩに基づいてデータ伝送を送信することをさらに備える請求項２０に記載の方法。
【請求項３５】
前記第１のサブフレームでダウンリンク許可と前記ＣＱＩ要求とを送信することと、
前記第１のサブフレームでデータ伝送を送信することと、
前記第３のサブフレームの前の第４のサブフレームで前記データ伝送に対する肯定確認応答（ＡＣＫ）または否定応答（ＮＡＣＫ）を受信することと
をさらに備える請求項２０に記載の方法。
【請求項３６】
前記第１のサブフレームでダウンリンク許可と前記ＣＱＩ要求とを送信することと、
前記第１のサブフレームでデータ伝送を送信することと、
前記第３のサブフレームで前記データ伝送に対する肯定確認応答（ＡＣＫ）または否定応答（ＮＡＣＫ）と前記レポートとを受信することと
をさらに備える請求項２０に記載の方法。
【請求項３７】
前記第１のサブフレームでアップリンク許可と前記ＣＱＩ要求とを送信することと、
前記第１のサブフレームからの固定オフセットを有し前記第３のサブフレームの前にある第４のサブフレームでデータ伝送を受信することと
をさらに備える請求項２０に記載の方法。
【請求項３８】
前記第１のサブフレームでアップリンク許可と前記ＣＱＩ要求とを送信することと、
前記第３のサブフレームでデータ伝送と前記レポートとを受信することと
をさらに備える請求項２０に記載の方法。
【請求項３９】
ワイヤレス通信のための装置であって、
第１のサブフレームでチャネル品質インジケータ（ＣＱＩ）要求を受信することと、
前記第１のサブフレームからの第１のオフセットを有する第２のサブフレームに対して第１のＣＱＩを決定するための手段と、
前記第１のサブフレームからの第２のオフセットを有する第３のサブフレームにおいて前記第１のＣＱＩを備えるレポートを送信するための手段と
を備える装置。
【請求項４０】
上位層のシグナリングによるかまたは前記ＣＱＩ要求によって前記第１のオフセットを受信するための手段をさらに備える請求項１に記載の装置。
【請求項４１】
可能なオフセットの範囲全体を循環し、ＣＱＩ要求ごとに異なるオフセットを選択することによって前記第１のオフセットを決定するための手段をさらに備える請求項１に記載の装置。
【請求項４２】
上位層のシグナリングによるかまたは前記要求によって前記第２のオフセットを受信するための手段をさらに備える請求項１に記載の装置。
【請求項４３】
前記第２のオフセットは、１つのインタレースの異なるサブフレームに対応する複数の可能なオフセットのうちの１つである請求項１に記載の装置。
【請求項４４】
前記第３のサブフレームの前の少なくとも１つの追加サブフレームに対して第２のＣＱＩを決定するための手段と、
前記第１と第２のＣＱＩを備えるレポートを生成するための手段と
をさらに備える請求項１に記載の装置。
【請求項４５】
前記第２のサブフレームが基地局に割り当てられ、少なくとも１つの干渉する基地局からの低減された干渉を有するかまたは少なくとも１つの干渉する基地局からの干渉を有しない請求項１に記載の装置。
【請求項４６】
前記第２のサブフレームが基地局に割り当てられ、少なくとも１つの干渉する基地局からの低減された干渉を有するかまたは少なくとも１つの干渉する基地局からの干渉を有さず、前記少なくとも１つの追加サブフレームが前記基地局に割り当てられない請求項４５に記載の装置。
【請求項４７】
前記第２のサブフレームに対してランク指標（ＲＩ）を決定するための手段と、
前記第１のＣＱＩと前記ＲＩとを備えるレポートを生成するための手段と
をさらに備える請求項１に記載の装置。
【請求項４８】
前記第２のサブフレームに対してプリコーディングマトリクスインジケータ（ＰＭＩ）を決定するための手段をさらに備え、前記レポートが前記ＰＭＩをさらに備える請求項４７に記載の装置。
【請求項４９】
ワイヤレス通信のための装置であって、
第１のサブフレームでチャネル品質インジケータ（ＣＱＩ）要求を送信するための手段と、
前記第１のサブフレームからの第１のオフセットを有する第２のサブフレームに対して決定された第１のＣＱＩを備えるレポートを受信するための手段と
を備え、前記レポートが、前記第１のサブフレームからの第２のオフセットを有する第３のサブフレームで受信される装置。
【請求項５０】
上位層のシグナリングによるかまたは前記ＣＱＩ要求によって前記第１のオフセットを送信するための手段をさらに備える請求項４９に記載の装置。
【請求項５１】
可能なオフセットの範囲全体を循環し、ＣＱＩ要求ごとに異なるオフセットを選択することによって前記第１のオフセットが決定される請求項５０に記載の装置。
【請求項５２】
上位層のシグナリングによるかまたは前記要求によって前記第２のオフセットを送信するための手段をさらに備える請求項４９に記載の装置。
【請求項５３】
前記第２のオフセットは、１つのインタレースの異なるサブフレームに対応する複数の可能なオフセットのうちの１つである請求項４９に記載の装置。
【請求項５４】
前記第３のサブフレームの前の少なくとも１つの追加サブフレームに対して決定された第２のＣＱＩを前記レポートから入手するための手段をさらに備える請求項４９に記載の装置。
【請求項５５】
前記第２のサブフレームが基地局に割り当てられ、少なくとも１つの干渉する基地局からの低減された干渉を有するかまたは少なくとも１つの干渉する基地局からの干渉を有しない請求項５４に記載の装置。
【請求項５６】
前記第２のサブフレームが基地局に割り当てられ、少なくとも１つの干渉する基地局からの低減された干渉を有するかまたは少なくとも１つの干渉する基地局からの干渉を有さず、前記少なくとも１つの追加サブフレームが前記基地局に割り当てられない請求項５４に記載の装置。
【請求項５７】
前記第２のサブフレームに対して決定されたランク指標（ＲＩ）を前記レポートから入手するための手段をさらに備える請求項５４に記載の装置。
【請求項５８】
前記第２のサブフレームに対して決定されたプリコーディングマトリクスインジケータ（ＰＭＩ）を前記レポートから入手するための手段をさらに備える請求項５７に記載の装置。
【請求項５９】
ワイヤレス通信のための装置であって、
第１のサブフレームでチャネル品質インジケータ（ＣＱＩ）要求を受信し、前記第１のサブフレームからの第１のオフセットを有する第２のサブフレームに対して第１のＣＱＩを決定し、前記第１のサブフレームからの第２のオフセットを有する第３のサブフレームにおいて前記第１のＣＱＩを備えるレポートを送信するように構成された少なくとも１つのプロセッサと、
前記少なくとも１つのプロセッサと連結されたメモリと
を備える装置。
【請求項６０】
ワイヤレス通信のための装置であって、
第１のサブフレームでチャネル品質インジケータ（ＣＱＩ）要求を送信し、前記第１のサブフレームからの第１のオフセットを有する第２のサブフレームに対して決定された第１のＣＱＩを備えるレポートを受信するように構成された少なくとも１つのプロセッサであって、前記レポートは前記第１のサブフレームからの第２のオフセットを有する第３のサブフレームで受信される少なくとも１つのプロセッサと、
前記少なくとも１つのプロセッサと連結されたメモリと
を備える装置。
【請求項６１】
命令を記憶したコンピュータ可読媒体を備えるコンピュータプログラム製品であって、前記命令は、
第１のサブフレームでチャネル品質インジケータ（ＣＱＩ）要求を受信し、
前記第１のサブフレームからの第１のオフセットを有する第２のサブフレームに対して第１のＣＱＩを決定し、
前記第１のサブフレームからの第２のオフセットを有する第３のサブフレームにおいて前記第１のＣＱＩを備えるレポートを送信するために１つまたは複数のプロセッサによって実行可能であるコンピュータプログラム製品。
【請求項６２】
命令を記憶したコンピュータ可読媒体を備えるコンピュータプログラム製品であって、前記命令は、
第１のサブフレームでチャネル品質インジケータ（ＣＱＩ）要求を送信し、
前記第１のサブフレームからの第１のオフセットを有する第２のサブフレームに対して決定された第１のＣＱＩを備えるレポートを受信するために１つまたは複数のプロセッサによって実行可能であり、前記レポートが、前記第１のサブフレームからの第２のオフセットを有する第３のサブフレームで受信されるコンピュータプログラム製品。
【発明の詳細な説明】
【技術分野】
【０００１】
関連出願の相互参照
本出願は、参照によりその全体を本明細書に明白に組み込んだ「Ａ  ＰＥＲＩＯＤＩＣ  ＣＱＩ  ＲＥＰＯＲＴＩＮＧ  ＩＮ  Ａ  ＷＩＲＥＬＥＳＳ  ＣＯＭＭＵＮＩＣＡＴＩＯＮ  ＮＥＴＷＯＲＫ」という名称の２０１０年４月１３日出願の米国仮出願第６１／３２３，８２４号の優先権を主張する。
【０００２】
本開示は、全般的に通信に関し、より具体的にはワイヤレス通信ネットワークにおけるチャネル品質インジケータ（ＣＱＩ）をレポートするための技術に関する。
【背景技術】
【０００３】
ワイヤレス通信ネットワークは、音声、ビデオ、パケットデータ、メッセージング、ブロードキャストなどといった様々な通信コンテンツを提供するために広範囲に展開されている。これらのワイヤレスネットワークは、使用可能なネットワークリソースを共有することによってマルチユーザをサポートすることのできるマルチアクセスネットワークであり得る。このようなマルチアクセスネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークがある。
【０００４】
ワイヤレス通信ネットワークは、複数のユーザ機器（ＵＥ）に対する通信をサポートすることのできる複数の基地局を含むことができる。ＵＥは、ダウンリンクとアップリンクとを介して基地局と通信することができる。ダウンリンク（または順方向リンク）は基地局からＵＥへの通信リンクのことであり、アップリンク（または逆方向リンク）はＵＥから基地局への通信リンクのことである。
【発明の概要】
【０００５】
本開示のいくつかの態様は、ワイヤレス通信のための方法を提供する。この方法は、概して、第１のサブフレームでチャネル品質インジケータ（ＣＱＩ）要求を受信することと、第１のサブフレームからの第１のオフセットを有する第２のサブフレームに対して第１のＣＱＩを決定することと、第１のサブフレームからの第２のオフセットを有する第３のサブフレームにおいて第１のＣＱＩを備えるレポートを送信することとを含む。
【０００６】
本開示のいくつかの態様は、ワイヤレス通信のための方法を提供する。この方法は、概して、第１のサブフレームでチャネル品質インジケータ（ＣＱＩ）要求を送信することと、第１のサブフレームからの第１のオフセットを有する第２のサブフレームに対して決定された第１のＣＱＩを備えるレポートを受信することとを含み、レポートは第１のサブフレームからの第２のオフセットを有する第３のサブフレームで受信される。
【０００７】
本開示のいくつかの態様は、ワイヤレス通信のための装置を提供する。この装置は、概して、第１のサブフレームでチャネル品質インジケータ（ＣＱＩ）要求を受信するための手段と、第１のサブフレームからの第１のオフセットを有する第２のサブフレームに対して第１のＣＱＩを決定するための手段と、第１のサブフレームからの第２のオフセットを有する第３のサブフレームにおいて第１のＣＱＩを備えるレポートを送信するための手段とを含む。
【０００８】
本開示のいくつかの態様は、ワイヤレス通信のための装置を提供する。この装置は、概して、第１のサブフレームでチャネル品質インジケータ（ＣＱＩ）要求を送信するための手段と、第１のサブフレームからの第１のオフセットを有する第２のサブフレームに対して決定された第１のＣＱＩを備えるレポートを受信するための手段とを含み、レポートは第１のサブフレームからの第２のオフセットを有する第３のサブフレームで受信される。
【０００９】
本開示のいくつかの態様は、ワイヤレス通信のための装置を提供する。この装置は、概して、第１のサブフレームでチャネル品質インジケータ（ＣＱＩ）要求を受信し、第１のサブフレームからの第１のオフセットを有する第２のサブフレームに対して第１のＣＱＩを決定し、第１のサブフレームからの第２のオフセットを有する第３のサブフレームにおいて第１のＣＱＩを備えるレポートを送信するように構成された少なくとも１つのプロセッサと、少なくとも１つのプロセッサと連結されたメモリとを含む。
【００１０】
本開示のいくつかの態様は、ワイヤレス通信のための装置を提供する。この装置は、概して、第１のサブフレームでチャネル品質インジケータ（ＣＱＩ）要求を送信し、第１のサブフレームからの第１のオフセットを有する第２のサブフレームに対して決定された第１のＣＱＩを備えるレポートを受信するように構成された少なくとも１つのプロセッサであって、レポートが第１のサブフレームからの第２のオフセットを有する第３のサブフレームで受信される少なくとも１つのプロセッサを含む。
【００１１】
本開示のいくつかの態様は、命令を記憶したコンピュータ可読媒体を備えるコンピュータプログラム製品を提供する。この命令は、概して、第１のサブフレームでチャネル品質インジケータ（ＣＱＩ）要求を受信し、第１のサブフレームからの第１のオフセットを有する第２のサブフレームに対して第１のＣＱＩを決定し、第１のサブフレームからの第２のオフセットを有する第３のサブフレームにおいて第１のＣＱＩを備えるレポートを送信するために１つまたは複数のプロセッサによって実行可能である。
【００１２】
本開示のいくつかの態様は、命令を記憶したコンピュータ可読媒体を備えるコンピュータプログラム製品を提供する。この命令は、概して、第１のサブフレームでチャネル品質インジケータ（ＣＱＩ）要求を送信し、第１のサブフレームからの第１のオフセットを有する第２のサブフレームに対して決定された第１のＣＱＩを備えるレポートを受信するために１つまたは複数のプロセッサによって実行可能であり、レポートが、第１のサブフレームからの第２のオフセットを有する第３のサブフレームで受信される。
【図面の簡単な説明】
【００１３】
【図１】ワイヤレス通信ネットワークを示す図。
【図２】基地局およびＵＥのブロック図。
【図３】周波数分割複信（ＦＤＤ）のためのフレーム構造を示す図。
【図４】ダウンリンクのための２つのサブフレームフォーマット例を示す図。
【図５】アップリンクのためのサブフレームフォーマットの一例を示す図。
【図６】リソースの区画の一例を示す図。
【図７】本開示のいくつかの態様による基地局およびＵＥの機能的構成要素の例を示す図。
【図８】非周期的ＣＱＩレポートスキームの一例を示す図。
【図９】本開示のいくつかの態様による非周期的ＣＱＩレポートスキームの例を示す図。
【図１０】本開示のいくつかの態様による非周期的ＣＱＩレポートスキームの例を示す図。
【図１１】本開示のいくつかの態様による非周期的レポートの動作の例を示す図。
【図１２】本開示のいくつかの態様による非周期的レポートの動作の例を示す図。
【発明を実施するための形態】
【００１４】
本明細書に記載の技術は、ＣＤＭＡ、ＴＤＭＡ、ＦＤＭＡ、ＯＦＤＭＡ、ＳＣ−ＦＤＭＡなどといった様々なワイヤレス通信ネットワークおよび他のネットワークのために使用することができる。「ネットワーク」および「システム」という用語はしばしば互換的に使用される。ＣＤＭＡネットワークは、ユニバーサル地上無線アクセス（ＵＴＲＡ）、ｃｄｍａ２０００などといった無線技術を実施することができる。ＵＴＲＡは、広帯域符号分割多元接続（ＷＣＤＭＡ）と、時分割同期符号分割多元接続（ＴＤ−ＳＣＤＭＡ）と、ＣＤＭＡの他の亜種とを含む。ｃｄｍａ２０００は、ＩＳ−２０００規格、ＩＳ−９５規格、およびＩＳ−８５６規格に対応する。ＴＤＭＡネットワークは、汎ヨーロッパデジタル移動通信システム（ＧＳＭ（登録商標））といった無線技術を実施することができる。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などといった無線技術を実施することができる。ＵＴＲＡとＥ−ＵＴＲＡは、ユニバーサル移動体通信システム（ＵＭＴＳ）の一部である。周波数分割複信（ＦＤＤ）と時分割複信（ＴＤＤ）の両方において３ＧＰＰロングタームエボリューション（ＬＴＥ）とＬＴＥアドバンスト（ＬＴＥ−Ａ）はＵＭＴＳの新版であり、これらはダウンリンクではＯＦＤＭＡを採用しアップリンクではＳＣ−ＦＤＭＡを採用するＥ−ＵＴＲＡを使用する。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体から出された文書に記載されている。ｃｄｍａ２０００およびＵＭＢは、「第３世代パートナーシッププロジェクト２」（３ＧＰＰ２）という名称の団体から出された文書に記載されている。本明細書に記載の技術は、上記のワイヤレスネットワークおよび無線技術、並びに他のワイヤレスネットワークおよび無線技術のために使用することができる。明瞭のために、以下ではこれらの技術のいくつかの態様はＬＴＥに関して説明され、以下の説明の大半ではＬＴＥ技術が使用される。
【００１５】
図１は、ＬＴＥネットワークまたは他のワイヤレスネットワークであり得るワイヤレス通信ネットワーク１００を示す。ワイヤレスネットワーク１００は、複数の発展型ノードＢ（ｅＮＢ）１１０と、他のネットワークエンティティとを含むことができる。ｅＮＢはＵＥと通信するエンティティであり、基地局、ノードＢ、アクセスポイントなどとも称されうる。各ｅＮＢは、特定の地理的エリアに通信カバレッジを提供することができる。３ＧＰＰでは、「セル」という用語は、その用語の使用される文脈に応じて、ｅＮＢのカバレッジエリアおよび／またはこのカバレッジエリアにサービスを提供するｅＮＢサブシステムを意味する。
【００１６】
ｅＮＢは、マクロセル、ピコセル、フェムトセル、および／または他のタイプのセルに通信カバレッジを提供することができる。マクロセルは、比較的大きな地理的エリア（例えば、半径数キロメートル）をカバーすることができ、サービスに加入しているＵＥによる無制限のアクセスを許可しうる。ピコセルは、比較的小さな地理的エリアをカバーすることができ、サービスに加入しているＵＥによる無制限のアクセスを許可しうる。フェムトセルは、比較的小さな地理的エリア（例えば、住まい）をカバーすることができ、フェムトセルに関連付けられたＵＥ（例えば、限定加入者グループ（ＣＳＧ）に含まれるＵＥ）による制限付のアクセスを許可しうる。マクロセルのためのｅＮＢをマクロｅＮＢと称することができる。ピコセルのためのｅＮＢをピコｅＮＢと称することができる。フェムトセルのためのｅＮＢをフェムトｅＮＢまたはホームｅＮＢ（ＨｅＮＢ）と称することができる。図１に示す例では、ｅＮＢ１１０ａはマクロセル１０２ａのためのマクロｅＮＢであり得、ｅＮＢ１１０ｂはピコセル１０２ｂのためのピコｅＮＢであり得、ｅＮＢ１１０ｃはフェムトセル１０２ｃのためのフェムトｅＮＢであり得る。ｅＮＢは、１つまたは複数の（例えば、３つの）セルをサポートすることができる。本明細書では、「ｅＮＢ」と「基地局」という用語は互換的に使用される。
【００１７】
ワイヤレスネットワーク１００は中継局も含めることができる。中継局は、上流局（例えば、ｅＮＢまたはＵＥ）からのデータの伝送を受信し、下流局（例えば、ＵＥまたはｅＮＢ）へのデータの伝送を送信することのできるエンティティである。中継局は、他のＵＥに対して伝送を中継することのできるＵＥであってもよい。図１に示す例では、中継局１１０ｄは、ｅＮＢ１１０ａとＵＥ１２０ｄとの間の通信を容易にするためにマクロｅＮＢ１１０ａおよびＵＥ１２０ｄと通信することができる。中継局は、中継ｅＮＢ、中継基地局、リレーなどと称することもできる。
【００１８】
ワイヤレスネットワーク１００は、例えば、マクロｅＮＢ、ピコｅＮＢ、フェムトｅＮＢ、中継ｅＮＢなどといった異なるタイプのｅＮＢを含む異種ネットワークであり得る。これらの異なるタイプのｅＮＢは、異なる伝送電力レベル、異なるカバレッジエリア、およびワイヤレスネットワーク１００内の干渉に対する異なる影響を有しうる。例えば、マクロｅＮＢは、高い伝送電力レベル（例えば、５ワットから４０ワット）を有しうるが、一方、ピコｅＮＢ、フェムトｅＮＢ、および中継ｅＮＢはそれよりも低い伝送電力レベル（例えば、０．１ワットから２ワット）を有しうる。
【００１９】
ネットワークコントローラ１３０は、一組のｅＮＢと連結することができ、それらのｅＮＢに調整および制御を提供することができる。ネットワークコントローラ１３０は、バックホールを介して複数のｅＮＢと通信することができる。それらのｅＮＢは、例えば、ワイヤレスバックホールまたはワイヤラインバックホールを介して直接的または間接的に相互に通信することもできる。
【００２０】
ＵＥ１２０はワイヤレスネットワーク１００中に拡散されていてもよく、各ＵＥは固定であってもモバイルであってもよい。ＵＥはまた、端末、移動局、加入者装置、ステーションなどと称することもできる。ＵＥは、携帯電話、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）ステーション、スマートフォン、ネットブック、スマートブックなどであり得る。
【００２１】
図２は、基地局／ｅＮＢ１１０およびＵＥ１２０の設計を示すブロック図であり、図１の基地局／ｅＮＢのうちの１つおよびＵＥのうちの１つでありうる。図２に示す様々な構成要素（例えば、プロセッサ）は、本明細書に記載のＣＳＩレポート技術を実行するために利用することができる。本明細書で使用されるように、ＣＳＩという用語は、一般的に、ワイヤレスチャネルの特徴を説明する任意のタイプの情報を意味する。以下でさらに詳細に説明するように、ＣＳＩフィードバックは、チャネル品質指標（ＣＱＩ）、ランク指標（ＲＩ）、およびプリコーディングマトリクスインデックス（ＰＭＩ）の１つまたは複数を含むことができる。したがって、以下の何点かの説明ではＣＳＩのタイプの一例としてＣＱＩが言及されうるが、ＣＱＩは本明細書で検討する技術に従ってレポートされうるＣＳＩのタイプの一例に過ぎないものと理解されるべきである。
【００２２】
図示するように、基地局１１０は、ＣＳＩレポート構成情報をＵＥ１２０に送信することができる。以下でさらに詳細に説明するように、ＵＥ１２０は、ＣＳＩ構成情報に従ってクリーン(clean)なＣＳＩに関する（保護されたサブフレームに関する）レポート、およびアンクリーン(unclean)なＣＳＩに関する（保護されていないサブフレームに関する）レポートを送信することができる。以下でさらに詳細に説明するように、ＣＳＩレポートは、同じレポート内で共に符号化されたクリーンなＣＳＩとアンクリーンなＣＳＩ、または別個のレポートで時分割多重化されたクリーンなＣＳＩとアンクリーンなＣＳＩを含むことができる。
【００２３】
基地局１１０はＴ個のアンテナ２３４ａから２３４ｔを装備することができ、また、ＵＥ１２０はＲ個のアンテナ２５２ａから２５２ｒを装備することができる。ここで、一般にＴ≧１かつＲ≧１である。
【００２４】
基地局１１０では、送信プロセッサ２２０は、１つまたは複数のＵＥに対するデータソース２１２からデータを、コントローラ／プロセッサ２４０から制御情報を受信することができる。プロセッサ２２０は、データおよび制御情報を処理して（例えば、符号化および変調して）、データシンボルおよび制御シンボルをそれぞれ入手することができる。プロセッサ２２０は、同期信号、基準信号などのために基準シンボルを生成することもできる。送信（ＴＸ）複数入力複数出力（ＭＩＭＯ）プロセッサ２３０は、適用可能ならばデータシンボル、制御シンボル、および／または基準シンボルに対して空間処理（例えば、プリコーディング）を実行することができ、Ｔ個のモジュレータ（ＭＯＤ）２３２ａから２３２ｔにＴ個の出力シンボルのストリームを提供することができる。各モジュレータ２３２は、出力サンプルストリームを得るために各出力シンボルストリームを（例えば、ＯＦＤＭなどに対して）処理することができる。各モジュレータ２３２は、ダウンリンク信号を得るために、出力サンプルのストリームをさらに処理（例えば、アナログ変換、増幅、フィルタリング、およびアップコンバート）することができる。モジュレータ２３２ａから２３２ｔからのＴ個のダウンリンク信号は、それぞれＴ個のアンテナ２３４ａから２３４ｔを介して送信されることができる。
【００２５】
ＵＥ１２０では、アンテナ２５２ａから２５２ｒは、基地局１１０からダウンリンク信号を、他の基地局からダウンリンク信号を、かつ／または他のＵＥからＰ２Ｐ信号を受信することができ、また、受信した信号をそれぞれデモジュレータ（ＤＥＭＯＤ）２５４ａから２５４ｒに提供することができる。各デモジュレータ２５４は、入力サンプルを得るために、それぞれの受信信号を調節（例えば、フィルタリング、増幅、ダウンコンバート、およびデジタル化）することができる。各デモジュレータ２５４は、受信したシンボルを得るために入力サンプルを（例えば、ＯＦＤＭなどに対して）さらに処理することができる。ＭＩＭＯ検波器２５６は、受信したシンボルをすべてのＲ個のデモジュレータ２５４ａから２５４ｒから得、適用可能ならば受信したシンボルに対してＭＩＭＯ検波を実行し、検波したシンボルを提供することができる。受信プロセッサ２５８は、検波したシンボルを処理（例えば、復調および復号）し、ＵＥ１２０に関する復号したデータをデータシンク２６０に提供し、復号した制御情報をコントローラ／プロセッサ２８０に提供することができる。
【００２６】
アップリンクでは、ＵＥ１２０で、送信プロセッサ２６４は、データソース２６２からデータを、コントローラ／プロセッサ２８０から制御情報を受信することができる。プロセッサ２６４は、データおよび制御情報を処理して（例えば、符号化および変調して）、データシンボルおよび制御シンボルをそれぞれ入手することができる。プロセッサ２６４はまた、１つまたは複数の基準信号などのために基準シンボルを生成することもできる。送信プロセッサ２６４からのシンボルを、適用可能ならばＴＸ  ＭＩＭＯプロセッサ２６６によってプリコードし、モジュレータ２５４ａから２５４ｒによって（例えば、ＳＣ−ＦＤＭ、ＯＦＤＭなどに対して）さらに処理し、基地局１１０、他の基地局、および／または他のＵＥに送信することができる。基地局１１０では、ＵＥ１２０および他のＵＥからのアップリンク信号をアンテナ２３４によって受信し、デモジュレータ２３２によって処理し、適用可能ならばＭＩＭＯ検波器２３６によって検波し、ＵＥ１２０および他のＵＥによって送信された復号したデータおよび制御情報を得るために受信プロセッサ２３８によってさらに処理することができる。プロセッサ２３８は、復号したデータをデータシンク２３９に提供し、復号した制御情報をコントローラ／プロセッサ２４０に提供することができる。
【００２７】
コントローラ／プロセッサ２４０および２８０はそれぞれ、基地局１１０およびＵＥ１２０で動作を指示することができる。基地局１１０でプロセッサ２４０および／または他のプロセッサおよびモジュールは、本明細書に記載の技術に関する処理を実行しまたは指示することができる。ＵＥ１２０でプロセッサ２８０および／または他のプロセッサおよびモジュールは、本明細書に記載の技術に関する処理を実行しまたは指示することができる。メモリ２４２および２８２はそれぞれ、基地局１１０およびＵＥ１２０のためにデータおよびプログラムコードを記憶することができる。通信（Ｃｏｍｍ）ユニット２４４は、基地局１１０が他のネットワークエンティティ（例えば、ネットワークコントローラ１３０）と通信することを可能にすることができる。スケジューラ２４６は、ダウンリンクおよび／またはアップリンクでのデータ伝送に関してＵＥをスケジューリングすることができる。
【００２８】
いくつかの態様によれば、受信プロセッサ２３８および／またはコントローラ／プロセッサ２４０は、ＵＥ１２０によって送信されたＣＳＩレポートを処理し、この情報を使用して伝送を制御することができる。
【００２９】
図２は、図１のネットワークコントローラ１３０の設計も示す。ネットワークコントローラ１３０内で、コントローラ／プロセッサ２９０はＵＥに対する通信をサポートするために様々な機能を実行することができる。コントローラ／プロセッサ２９０は、本明細書に記載の技術に関して処理を実行することができる。メモリ２９２は、ネットワークコントローラ１３０のためにプログラムコードおよびデータを記憶することができる。通信ユニット２９４は、ネットワークコントローラ１３０が他のネットワークエンティティと通信することを可能にすることができる。
【００３０】
上記のように、ＢＳ１１０とＵＥ１２０はＦＤＤまたはＴＤＤを利用することができる。ＦＤＤの場合、ダウンリンクとアップリンクを別個の周波数チャネルに割り当てることができ、ダウンリンク伝送とアップリンク伝送を２つの周波数チャネルで同時に送ることができる。
【００３１】
図３は、ＬＴＥのＦＤＤのためのフレーム構造３００の一例を示す。ダウンリンクとアップリンクそれぞれの伝送タイムラインは、無線フレーム単位で区画されることができる。各無線フレームは、所定の期間（例えば、１０ミリ秒（ｍｓ））を有することができ、０から９の指数を持つ１０個のサブフレームに区画されることができる。各サブフレームは２個のスロットを含むことができる。したがって、各無線フレームは０から１９の指数を持つ２０個のスロットを含むことができる。各スロットは、Ｌ個のシンボル期間、例えば（図２に示すように）通常のサイクリックプレフィックスでは７個のシンボル期間、または拡張サイクリックプレフィックスでは６個のシンボル期間を含むことができる。各サブフレーム内の２Ｌ個のシンボル期間には０から２Ｌ−１の指数を割り振ることができる。
【００３２】
ＬＴＥでは、ｅＮＢは、ｅＮＢによってサポートされる各セルのためにシステム帯域幅の中心の１．０８  ＭＨｚにおいてダウンリンクでプライマリ同期信号（ＰＳＳ）とセカンダリ同期信号（ＳＳＳ）を送信することができる。図２に示すように、ＰＳＳとＳＳＳは、それぞれシンボル期間６と５で、通常のサイクリックプレフィックスを有する各無線フレームのサブフレーム０と５で送信されることができる。ＰＳＳとＳＳＳは、ＵＥがセルの検索と獲得のために使用されることができる。ｅＮＢは、ｅＮＢによってサポートされる各セルのためにシステム帯域幅全体でセル特有の基準信号（ＣＲＳ）を送信することができる。ＣＲＳは、各サブフレームのいくつかのシンボル期間で送信されることができ、ＵＥがチャネル推定、チャネル品質測定、および／または他の機能を実行するために使用されることができる。ｅＮＢはまた、いくつかの無線フレームのスロット１において０から３のシンボル期間で物理ブロードキャストチャネル（ＰＢＣＨ）を送信することができる。ＰＢＣＨは何らかのシステム情報を搬送することができる。ｅＮＢは、いくつかのサブフレームにおいて物理ダウンリンク共有チャネル（ＰＤＳＣＨ）上でシステム情報ブロック（ＳＩＢ）などの他のシステム情報を送信することができる。
【００３３】
図４は、通常のサイクリックプレフィックスを有するダウンリンクのための２つのサブフレームフォーマット例４１０および４２０を示す。ダウンリンクのための使用可能な時間周波数リソースは、複数のリソースブロックに区画されることができる。各リソースブロックは、１個のスロットで１２個のサブキャリアをカバーすることができ、複数のリソースエレメントを含むことができる。各リソースエレメントは、１個のシンボル期間で１個のサブキャリアをカバーすることができ、実数値または複素数値でありうる１個の変調シンボルを送るために使用することができる。
【００３４】
サブフレームフォーマット４１０は、２つのアンテナを装備したｅＮＢのために使用されることができる。ＣＲＳは、シンボル期間０、４、７および１１でアンテナ０および１から送信されることができる。基準信号は、トランスミッタとレシーバによって先験的(a priori)に知られる信号であり、パイロットと称することもできる。ＣＲＳは、例えばセル識別子（ＩＤ）に基づいて生成されるなど、セル特有の基準信号である。図４では、ラベルＲaの所与のリソースエレメントの場合、アンテナａからそのリソースエレメントで変調シンボルを送信することができ、他のアンテナからそのリソースエレメントで変調シンボルを送信することはできない。サブフレームフォーマット４２０は、４つのアンテナを装備したｅＮＢのために使用することができる。ＣＲＳは、シンボル期間０、４、７および１１でアンテナ０および１から送信されることができ、シンボル期間１および８でアンテナ２および３から送信されることができる。サブフレームフォーマット４１０と４２０の両方に関して、セルＩＤに基づいて決定されうるように、ＣＲＳは均等に間隔をとったサブキャリアで送信されることができる。様々なｅＮＢが、それぞれのセルＩＤに応じてそれぞれのＣＲＳを同じサブキャリアまたは異なるサブキャリアで送信することができる。サブフレームフォーマット４１０と４２０の両方に関して、ＣＲＳに使用されないリソースエレメントをデータ（例えば、トラヒックデータ、制御データ、および／または他のデータ）を送信するために使用することができる。
【００３５】
図５は、ＬＴＥのアップリンクのためのフォーマットの一例を示す。アップリンクのための使用可能なリソースブロックは、データセクションと制御セクションに区画されることができる。制御セクションは、システム帯域幅の２つのエッジに形成することができ、構成可能なサイズを有しうる。制御セクションのリソースブロックは、制御情報／データの送信用にＵＥに割り振られることができる。データセクションは、制御セクションに含まれないすべてのリソースブロックを含むことができる。図５の設計によればデータセクションは連続するサブキャリアを含むことになり、これは単一のＵＥにデータセクション内の連続するサブキャリアのすべてを割り振ることを可能としうる。
【００３６】
制御情報をｅＮＢに送信するために、ＵＥに制御セクション内のリソースブロックを割り振ることができる。トラヒックデータをノードＢに送信するために、ＵＥにデータセクション内のリソースブロックを割り振ることもできる。ＵＥは、制御セクション内の割り振られたリソースブロックで物理アップリンク制御チャネル（ＰＵＣＣＨ）において制御情報を送信することができる。ＵＥは、データセクション内の割り振られたリソースブロックで物理アップリンク共有チャネル（ＰＵＳＣＨ）においてトラヒックデータのみかまたはトラヒックデータと制御情報の両方を送信することができる。アップリンク伝送は、図５に示すように、サブフレームの両方のスロットに及ぶことができ、周波数全体でホッピングすることができる。
【００３７】
ＬＴＥのＰＳＳ、ＳＳＳ、ＣＲＳ、ＰＢＣＨ、ＰＵＣＣＨ、およびＰＵＳＣＨは、公開されている「発展型ユニバーサル地上無線アクセス（Ｅ−ＵＴＲＡ）；物理チャネルおよび変調（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ）」と題する３ＧＰＰ  ＴＳ  ３６．２１１に記載されている。
【００３８】
ＬＴＥのＦＤＤには、ダウンリンクとアップリンクのそれぞれに様々なインタレース構造を使用することができる。例えば、０からＱ−１の指数を持つＱ個のインタレースを定義することができ、Ｑを４、６、８、１０、または何らかの他の値に等しいとしうる。各インタレースは、Ｑフレームの間隔をとったサブフレームを含むことができる。具体的には、インタレースｑは、サブフレームｑ、ｑ＋Ｑ、ｑ＋２Ｑなどを含むことができ、ｑ∈｛０，・・・，Ｑ−１｝である。
【００３９】
ワイヤレスネットワークは、ダウンリンクおよびアップリンクでのデータ伝送のためにハイブリッド自動再送要求（ＨＡＲＱ）をサポートすることができる。ＨＡＲＱの場合、トランスミッタ（例えば、ｅＮＢ）は、１つのパケットがレシーバ（例えばＵＥ）によって正確に復号されるまで、または他の終了条件に遭遇するまで、その１つのパケットの１つまたは複数の伝送を送ることができる。同期ＨＡＲＱの場合、パケットのすべての伝送は、単一インタレースの複数のサブフレームで送信されることができる。非同期ＨＡＲＱの場合、パケットの各伝送を、任意のサブフレームで送信することができる。
【００４０】
ＵＥは、複数のｅＮＢのカバレッジ範囲内に配置されることができる。それらｅＮＢのうちの１つを、ＵＥにサービスを提供するために選択することができる。サービス提供ｅＮＢは、受信信号強度、受信信号品質、パスロスなどといった様々な判断基準に基づいて選択されることができる。受信信号品質は、信号対干渉および雑音電力比（ＳＩＮＲ：signal-to-noise-and-interference ratio）または基準信号受信品質（ＲＳＲＱ）または何らかの他の測定基準によって数量化されることができる。
【００４１】
ＵＥは、ＵＥが１つまたは複数の干渉するｅＮＢから高い干渉を観測しうる、支配的な干渉シナリオ（dominant interference scenario）で動作することができる。支配的な干渉シナリオは、制限された関連付けによって発生しうる。例えば、図１では、ＵＥ１２０ｃはフェムトｅＮＢ１１０ｃに接近することができ、ｅＮＢ１１０ｃに対する高い受信電力を有しうる。しかしながら、ＵＥ１２０ｃは制限された関連付けによりフェムトｅＮＢ１１０ｃへのアクセスは可能とされえず、その場合、より低い受信電力でマクロｅＮＢ１１０ａに接続することができる。この場合、ＵＥ１２０ｃは、ダウンリンクでフェムトｅＮＢ１１０ｃからの高い干渉を観測することができ、アップリンクでフェムトｅＮＢ１１０ｃへの高い干渉の原因ともなりうる。
【００４２】
支配的な干渉シナリオは、範囲拡張(range extension)によっても発生しうる。これは、ＵＥによって検出されるすべてのｅＮＢのうちで、より低いパスロスを有し、恐らくはより低いＳＩＮＲを有する１つのｅＮＢにＵＥが接続するシナリオである。例えば、図１では、ＵＥ１２０ｂはマクロｅＮＢ１１０ａよりもピコｅＮＢ１１０ｂの方に接近して位置することができ、ピコｅＮＢ１１０ｂに対して、より低いパスロスを有しうる。しかしながら、ＵＥ１２０ｂは、マクロｅＮＢ１１０ａと比較してピコｅＮＢ１１０ｂの送信電力レベルがより低いために、ピコｅＮＢ１１０ｂに対してマクロｅＮＢ１１０ａよりも低い受信電力を有しうる。それでもなお、パスロスがより低いために、ＵＥ１２０ｂはピコｅＮＢ１１０ｂに接続することが望ましくなりうる。これは、ＵＥ１２０ｂに対する所与のデータレートでワイヤレスネットワークへの干渉を少なくしうる。
【００４３】
支配的な干渉シナリオでの通信は、セル間干渉調整（ＩＣＩＣ）を実行することによってサポートされることができる。ＩＣＩＣのいくつかの態様によれば、干渉の強いｅＮＢの近くに位置したｅＮＢにリソースを割り当てるためにリソース調整／区画を実行することできる。干渉するｅＮＢは、恐らくはＣＲＳを除いて、割り当てられた／保護されたリソース上での送信を回避しうる。この場合、ＵＥは、干渉するｅＮＢの存在下において保護されたリソース上でｅＮＢと通信することができ、なおかつ、干渉するｅＮＢからの干渉をまったく（恐らくはＣＲＳを除いて）観測しない場合がある。
【００４４】
一般的に、リソース区画によって時間および／または周波数リソースをｅＮＢに割り当てることができる。いくつかの態様によれば、システム帯域幅を複数のサブバンドに区画することができ、１つまたは複数のサブバンドを１つのｅＮＢに割り当てることができる。別の設計では、一組のサブフレームを１つのｅＮＢに割り当てることができる。さらに別の設計では、一組のリソースブロックを１つのｅＮＢに割り当てることができる。明瞭のために、以下の説明の大半は、１つまたは複数のインタレースが１つのｅＮＢに割り当てられうる時分割多重化（ＴＤＭ）リソース区画の設計を想定する。割り当てられた１つまたは複数のインタレースのサブフレームは、干渉の強いｅＮＢからの低減された干渉を観測するか、または干渉の強いｅＮＢからの干渉がまったくないことを観測しうる。
【００４５】
図６は、ｅＮＢ  ＹおよびＺを伴う支配的な干渉シナリオにおいて通信をサポートするためのＴＤＭリソース区画の一例を示す。本例では、例えば、バックホールを通したｅＮＢ間のネゴシエーションにより、準静的または静的な方法で、ｅＮＢ  Ｙにはインタレース０を割り当てることができ、ｅＮＢ  Ｚにはインタレース７を割り当てることができる。ｅＮＢ  Ｙは、インタレース０のサブフレームで送信することができ、インタレース７のサブフレームでの送信を回避することができる。反対に、ｅＮＢ  Ｚは、インタレース７のサブフレームで送信することができ、インタレース０のサブフレームでの送信を回避することができる。残りのインタレース１から６のサブフレームは、ｅＮＢ  Ｙおよび／またはｅＮＢ  Ｚに適応的に／動的に割り当てられうる。
【００４６】
表１は、１つの設計に従って、異なるタイプのサブフレームを列挙する。ｅＮＢ  Ｙの視点からすると、ｅＮＢ  Ｙに割り当てられたインタレースは、ｅＮＢ  Ｙによって使用することができ、干渉するｅＮＢからの干渉が殆どないかまったくない「保護された」サブフレーム（Ｕサブフレーム）を含むことができる。別のｅＮＢ  Ｚに割り当てられたインタレースは、ｅＮＢ  Ｙによってデータ伝送に使用することができない「禁止された」サブフレーム（Ｎサブフレーム）を含むことができる。どのｅＮＢにも割り当てられないインタレースは、異なるｅＮＢによって使用することができる「共通」サブフレーム（Ｃサブフレーム）を含むことができる。適応的に割り当てられたサブフレームは接頭辞「Ａ」で示されており、保護されたサブフレーム（ＡＵサブフレーム）または禁止されたサブフレーム（ＡＮサブフレーム）または共通サブフレーム（ＡＣサブフレーム）であり得る。これら様々なタイプのサブフレームを他の名称で称することもできる。例えば、保護されたサブフレームを、確保されたサブフレーム、割り当てられたサブフレームなどと称することができる。
【表１】
2013528031.tif 000003
【００４７】
いくつかの態様によれば、ｅＮＢは、その中のＵＥに静的なリソース区画情報（ＳＲＰＩ）を送信することができる。いくつかの態様によれば、ＳＲＰＩは、Ｑ個のインタレースに対してＱ個のフィールドを備えることができる。各インタレースのフィールドには、「Ｕ」を設定して、そのｅＮＢにインタレースが割り当てられておりＵサブフレームを含むことを示すことができ、「Ｎ」を設定して、別のｅＮＢにインタレースが割り当てられておりＮサブフレームを含むことを示すことができ、または「Ｘ」を設定して、任意のｅＮＢに適応的にインタレースが割り当てられておりＸサブフレームを含むことを示すことができる。ＵＥは、ｅＮＢからＳＲＰＩを受信することができ、ＳＲＰＩに基づいてｅＮＢに対するＵサブフレームとＮサブフレームを識別することができる。ＳＲＰＩ内の「Ｘ」が記された各インタレースに関して、ＵＥは、そのインタレース内のＸサブフレームがＡＵサブフレームになるのかＡＮサブフレームになるのかＡＣサブフレームになるのか知ることができない。ＵＥは、ＳＲＰＩによってリソース区画の準静的な部分のみを知ることができ、一方、ｅＮＢはリソース区画の準静的な部分と適応的な部分の両方を知ることができる。
【００４８】
ＵＥは、ｅＮＢから受信したＣＲＳに基づいてｅＮＢの受信した信号品質を推定することができる。ＵＥは、受信した信号品質に基づいてＣＱＩを決定することができ、そのＣＱＩをｅＮＢにレポートすることができる。ｅＮＢは、リンクアダプテーションのためにＣＱＩを使用し、ＵＥへのデータ伝送のために変調符号化方式（ＭＣＳ）を選択することができる。異なるタイプのサブフレームは異なる分量の干渉を有しうるので、非常に異なるＣＱＩを有しうる。具体的には、支配的な干渉ｅＮＢは保護されたサブフレーム（例えば、ＵおよびＡＵサブフレーム）では送信しないので、保護されたサブフレームはさらに良好なＣＱＩによって特徴付けられうる。対照的に、ＣＱＩは、１つまたは複数の支配的な干渉ｅＮＢが送信することができる他のサブフレーム（例えば、Ｎサブフレーム、ＡＮサブフレーム、およびＡＣサブフレーム）についてはかなり悪化しうる。ＣＱＩの視点からすると、ＡＵサブフレームはＵサブフレームと等価であり得（両方とも保護されている）、ＡＮサブフレームはＮサブフレームと等価であり得る（両方とも禁止されている）。ＡＣサブフレームは、完全に異なるＣＱＩによって特徴付けられうる。良好なリンクアダプテーションの性能を達成するには、ｅＮＢがＵＥにトラヒックデータを送信する各サブフレームに関してｅＮＢは比較的正確なＣＱＩを有するべきである。
【００４９】
非周期的ＣＱＩレポート
いくつかの態様によれば、ＵＥからＣＱＩを受信することを望むｅＮＢ（または他のタイプの基地局）は、サブフレームｎでＵＥへのＣＱＩ要求を送信することができる。ＵＥはＣＱＩ要求を受信することができ、それに応答してサブフレームｎに関してＣＱＩを決定することができる。次いでＵＥは、ＣＱＩを含んだレポートをｅＮＢに、従来は、固定数のサブフレームの後（例えば、サブフレームｎ＋４）で送信することができる。したがって、従来のＣＱＩレポートは通常は厳格なタイムラインに従う。ＣＱＩは、ＣＱＩ要求が受信される同じサブフレーム内で測定され、一定期間（例えば、４サブフレーム）後にレポートされる。ＴＤＤではダウンリンクとアップリンクそれぞれに使用可能なサブフレーム数が限られているので、ＣＱＩ測定とレポートのためのタイムラインは異なっている。本明細書に記載の技術はＦＤＤに限定されるものではないが、理解を容易にするために、以下の説明の大半はＦＤＤを想定する。
【００５０】
本開示のいくつかの態様は、柔軟なＣＱＩレポートスキームを提供する。このスキームは、要求が受信されるサブフレームからの第１のオフセットのところにあるサブフレームでＣＱＩ測定を可能とし、第２のオフセットのところにあるサブフレームでレポートの送信を可能とすることによってリソース区画を利用することができる。
【００５１】
ＣＱＩが測定されるサブフレームを、本明細書では基準サブフレームと称する。ＣＱＩ要求がＵサブフレームで送信される場合、ＵＥは、干渉するｅＮＢからの低減された干渉を有するかまたは干渉するｅＮＢからの干渉を有しないＵサブフレームに関してＣＱＩを決定することができる。Ｕサブフレームに対するＣＱＩを、支配的な干渉ｅＮＢがデータを送信しない１つのサブフレームにわたって測定されていることを強調して「クリーンな」ＣＱＩと称することができる。ＣＱＩ要求がＡＣサブフレームで送信される場合、ＵＥは、干渉するｅＮＢからの干渉のあるＡＣサブフレームに関してＣＱＩを決定することができる。保護されていないサブフレームに対するＣＱＩを、１つまたは複数の干渉するｅＮＢが送信中でありうる１つのサブフレームにわたって測定されていることを強調して「アンクリーンな」ＣＱＩと称することができる。保護されていないサブフレームを、ＡＣサブフレーム、Ｎサブフレーム、またはＡＮサブフレームと称することができる。
【００５２】
以下でさらに詳細に説明するように、ｅＮＢは、保護された（例えば、Ｕ）サブフレームでＣＱＩ要求を送信することによってクリーンなＣＱＩを得ることができる。ｅＮＢは、保護されていない（例えば、ＡＣ）サブフレームでＣＱＩ要求を送信することによってアンクリーンなＣＱＩを得ることができる。ｅＮＢは、通常は、ＮサブフレームまたはＡＮサブフレームでのＣＱＩ要求の送信を回避することができるが、ＮサブフレームまたはＡＮサブフレームに対するアンクリーンなＣＱＩは、以下に説明するように他の方法で得ることができる。
【００５３】
一態様では、ＣＱＩは、ＣＱＩ要求が送信されるサブフレームでありうる固定サブフレームではなく構成可能なサブフレームで測定されることができる。これは、ＣＱＩを測定するサブフレームを選択するために柔軟性を可能としうる。
【００５４】
別の一態様では、ＣＱＩは、ＣＱＩ要求が送信されるサブフレームからの固定オフセットでありうる固定サブフレームではなく構成可能なサブフレームでレポートされることができる。これは、ＣＱＩをレポートするサブフレームを選択するために柔軟性を可能としうる。
【００５５】
図７は、本明細書に記載のＣＱＩレポート技術を実行することができる基地局７１０（例えば、ｅＮＢ）およびＵＥ７２０を有する例示的システム７００を示す。
【００５６】
図示するように、基地局７１０は、トランスミッタモジュール７１２を介してＵＥ７２０に送信されるべきＣＱＩレポート構成情報を生成するように構成されたスケジューラモジュール７１４を含むことができる。以下で説明するように、構成情報は１つまたは複数のオフセット値を含むことができる。オフセット値は、例えば、ＣＱＩ測定が行われるべきＣＱＩ要求を搬送するサブフレームからの関連したオフセットを示す第１のオフセットと、対応するＣＱＩレポートが送信されるべき時点を示す第２のオフセットとを含むことができる。
【００５７】
図示するように、ＵＥ７２０は、ＣＱＩレポート構成情報を受信するレシーバモジュール７２６を含むことができる。レシーバモジュール７２６は、ＣＱＩレポート構成情報に従って、（例えば、クリーンなＣＱＩとアンクリーンなＣＱＩに関する）ＣＱＩレポートを生成し送信するように構成されたＣＱＩレポートモジュール５２４にＣＱＩレポート構成情報を提供することができる。
【００５８】
ＣＱＩレポートは、基地局７２０への伝送のためにトランスミッタモジュール７２２に提供されうる。基地局７２０は、レシーバモジュール７１４を介してレポートを受信し、ＵＥ７１０に対する後続の伝送のためにその中にある情報を利用することができる（例えば、１つまたは複数の変調符号化方式の選択）。以下で詳細に説明するように、ＣＱＩレポート（または別個のレポート）は、保護されたリソースと保護されていないリソースに対するプリコーディングマトリクスインジケータ（ＰＭＩ）およびランク指標（ＲＩ）、などの情報も含むことができる。
【００５９】
図８は、例えばＬＴＥのＦＤＤに従って非周期的ＣＱＩレポートのためのスキームの一例を示す。ｅＮＢはＵＥからＣＱＩを受信することを望みうる。ｅＮＢはまた、サブフレームｎでＵＥへのＣＱＩ要求を送信することができる。ＵＥはＣＱＩ要求を受信することができ、それに応答してサブフレームｎに関してＣＱＩを決定することができる。次いでＵＥは、ｅＮＢに対してサブフレームｎ＋４においてＣＱＩを備えるレポートを送信することができる。図８のスキームは、ＣＱＩの測定およびレポートに関する厳格なタイムラインを有しうる。具体的には、ＣＱＩは、ＣＱＩ要求が受信される同じサブフレーム内で測定され、その４サブフレーム後にレポートされる。ＴＤＤではダウンリンクとアップリンクそれぞれに使用可能なサブフレーム数が限られているので、ＣＱＩ測定とレポートのためのタイムラインは異なっている。明瞭のために、以下の説明の大半はＦＤＤを想定する。
【００６０】
図８に示すスキームの場合、ｅＮＢは、特定のサブフレームでＣＱＩ要求を送信することによって、ＵＥがＣＱＩを測定／決定するその特定のサブフレームを選択することができる。ＣＱＩが測定されるサブフレームを基準サブフレームと称することができる。ＣＱＩ要求がＵサブフレームで送信される場合、ＵＥは、干渉するｅＮＢからの低減された干渉を有するかまたは干渉するｅＮＢからの干渉を有しないＵサブフレームに関してＣＱＩを決定することができる。Ｕサブフレームに対するＣＱＩを、支配的な干渉ｅＮＢがデータを送信しない１つのサブフレームにわたって測定されていることを強調して「クリーンな」ＣＱＩと称することができる。ＣＱＩ要求がＡＣサブフレームで送信される場合、ＵＥは、干渉するｅＮＢからの干渉のあるＡＣサブフレームに関してＣＱＩを決定することができる。保護されていないサブフレームに対するＣＱＩは、１つまたは複数の干渉するｅＮＢが送信中でありうる１つのサブフレームにわたって測定されていることを強調して「アンクリーンな」ＣＱＩと称することができる。保護されていないサブフレームを、ＡＣサブフレーム、Ｎサブフレーム、またはＡＮサブフレームとすることができる。
【００６１】
図８に示すスキームの場合、ｅＮＢは、ＵサブフレームでＣＱＩ要求を送信することによってクリーンなＣＱＩを得ることができる。ｅＮＢは、ＡＣサブフレームでＣＱＩ要求を送信することによってアンクリーンなＣＱＩを得ることができる。ｅＮＢは、ＮサブフレームまたはＡＮサブフレームでＣＱＩ要求を送信すべきではない。ＮサブフレームまたはＡＮサブフレームに対するアンクリーンなＣＱＩは、以下に説明するように他の方法で得ることができる。
【００６２】
いくつかの態様によれば、ＣＱＩは、ＣＱＩ要求が送信されるサブフレームでありうる固定サブフレームではなく構成可能なサブフレームで測定されることができる。これは、ＣＱＩを測定するサブフレームを選択するために柔軟性を可能としうる。
【００６３】
別の一態様では、ＣＱＩは、ＣＱＩ要求が送信されるサブフレームからの固定オフセットでありうる固定サブフレームではなく構成可能なサブフレームでレポートされることができる。これは、ＣＱＩをレポートするサブフレームを選択するために柔軟性を可能としうる。
【００６４】
図９は、本開示のいくつかの態様に従って構成可能な測定サブフレームおよび構成可能なレポートサブフレームによる非周期的ＣＱＩレポートスキームの一例を示す。図示したスキームは、例えば、ＬＴＥのＦＤＤに使用されることができる。
【００６５】
ｅＮＢはＵＥからＣＱＩを受信することを望みうる。ｅＮＢはまた、サブフレームｎでＵＥへのＣＱＩ要求を送信することができる。ＵＥはＣＱＩ要求を受信し、その受信に応答して、サブフレームｎ＋ｍに関してＣＱＩを決定することができ、ここで、ｍは構成可能なオフセットでありうる。次いでＵＥは、ｅＮＢに対してサブフレームｎ＋ｋにおいてＣＱＩを備えるレポートを送信することができる。ここで、ｋは他の構成可能なオフセットでありうる。ＵＥでの処理遅延があるために、通常はｋ＞ｍとなるように、サブフレームの特定の最小数がＣＱＩ測定とＣＱＩレポートの間に要求されうる。図９のスキームは、ＣＱＩの測定およびＣＱＩレポートに関する柔軟なタイムラインを有する。具体的には、ＣＱＩは、サブフレームｎに続き、恐らくはサブフレームｎを含みうる一組のサブフレームのうちのいずれか１つで測定されうる。ＣＱＩは、サブフレームｎ＋ｍに続きうる一組のサブフレームのうちのいずれか１つでレポートされうる。
【００６６】
ＣＱＩ測定に関する基準サブフレームに対するオフセットｍは、様々な方法で決定されることができる。いくつかの態様によれば、オフセットｍはｅＮＢによって構成されることができ、上位層のシグナリング、例えば無線リソース制御（ＲＲＣ）シグナリングによってＵＥにシグナリングされることができる。この設計では、オフセットｍは準静的であり得、ｅＮＢによって再構成されるまで使用され得る。別の設計では、オフセットｍはＣＱＩ要求と共に送信されることができる。この設計では、オフセットｍは動的であることができ、そのＣＱＩ要求に対して特別に選択することができる。さらに別の設計では、ＵＥは可能なオフセットの範囲全体を循環することができ、ＣＱＩ要求が受信されるたびに異なるオフセットを選択することができる。可能なオフセットの範囲は固定（例えば、０からＱ−１の範囲に指定することができる）であり得、ＵＥとｅＮＢの両方によって先験的に知られていることができる。可能なオフセットの範囲は構成可能であり得、ｅＮＢによって選択されてＵＥにシグナリングされ得る。オフセットｍを、他の方法で決定することもできる。
【００６７】
ＣＱＩレポートに関するサブフレームに対するオフセットｋも様々な方法で決定されることができる。いくつかの態様によれば、オフセットｋはｅＮＢによって構成されることができ、（例えば、上位層のシグナリングによって）ＵＥにシグナリングされることができる。別の設計では、オフセットｋはＣＱＩ要求と共に送信されることができる。いくつかの態様によれば、オフセットｋはｅＮＢに割り当てられたアップリンクに対するインタレースのサブフレームに制限されることができる。例えば、Ｑ＝８の場合、オフセットｋは４または１２に等しくできる。この設計は、ＵＥがＴＤＭリソース区画に基づいてｅＮＢにＣＱＩレポートを確実に送信できることを保証することができる。ｋ＝１２のオフセットは、過度の遅延を持ち込まずに十分な柔軟性を提供することができる。オフセットｋを、他の方法で決定することもできる。
【００６８】
いくつかの態様によれば、ＵＥは、サブフレームｎ＋ｍに対して単一のＣＱＩを決定することができる。このＣＱＩは、（ｉ）サブフレームｎ＋ｍがＵサブフレームまたはＡＵサブフレームの場合、クリーンなＣＱＩであり得、または（ｉｉ）サブフレームｎ＋ｍがＡＣサブフレーム、Ｎサブフレーム、またはＡＮサブフレームの場合、アンクリーンなＣＱＩであり得る。別の設計では、単一ＣＱＩまたは複数のＣＱＩをレポートするようにＵＥに指示することができる。単一ＣＱＩはサブフレームｎ＋ｍに対するＣＱＩであり得、クリーンなＣＱＩまたはアンクリーンなＣＱＩであり得る。複数のＣＱＩはクリーンなＣＱＩとアンクリーンなＣＱＩとを含むことができる。クリーンなＣＱＩはサブフレームｎ＋ｍに対するＣＱＩまたは最も近いＵサブフレームに対するＣＱＩであり得る。アンクリーンなＣＱＩは、サブフレームｎ＋ｍの、またはサブフレームｎ＋ｍの近くにある１つまたは複数の保護されていないサブフレームに対するＣＱＩであり得る。
【００６９】
様々な方法で１つまたは複数のＣＱＩをレポートするようにＵＥに指示することができる。いくつかの態様によれば、上位層のシグナリングによって１つまたは複数のＣＱＩをレポートするようにＵＥに指示することができる。別の設計では、ＣＱＩ要求中のビットによってＵＥに指示することができる。さらに別の設計では、ＣＱＩ要求を搬送するダウンリンク制御情報（ＤＣＩ）メッセージで異なるスクランブリングを使用してＵＥに指示することができる。例えば、ＤＣＩメッセージの巡回冗長検査（ＣＲＣ）がスクランブリングされている場合、複数のＣＱＩをレポートするようにＵＥに指示することができ、そうでない場合は単一のＣＱＩをレポートするようにＵＥに指示することができる。他の方法で１つまたは複数のＣＱＩをレポートするようにＵＥに指示することもできる。
【００７０】
ＵＥはダウンリンク許可とＣＱＩ要求とを同じサブフレームｎで受信することができる。トラヒックデータ、ＡＣＫ／ＮＡＣＫ、およびＣＱＩレポートは様々な方法で送信されることができる。いくつかの態様によれば、ｅＮＢはトラヒックデータとＣＱＩ要求とをサブフレームｎで送信することができ、ＵＥはＡＣＫ／ＮＡＣＫをサブフレームｎ＋４で送信し、ＣＱＩレポートをサブフレームｎ＋１２で送信することができる。別の設計では、ｅＮＢはトラヒックデータをサブフレームｎで送信することができ、ＵＥはＡＣＫ／ＮＡＣＫとＣＱＩレポートの両方をサブフレームｎ＋１２で送信することができる。さらに別の設計では、ｅＮＢはトラヒックデータをサブフレームｎ＋８で送信することができ、ＵＥはＡＣＫ／ＮＡＣＫとＣＱＩレポートの両方をサブフレームｎ＋１２で送信することができる。トラヒックデータ、ＡＣＫ／ＮＡＣＫ、およびＣＱＩレポートは他の方法でも送信されることができる。
【００７１】
ＵＥはアップリンク許可とＣＱＩ要求とを同じサブフレームｎで受信することができる。トラヒックデータおよびＣＱＩレポートは様々な方法で送信されることができる。いくつかの態様によれば、ＵＥはトラヒックデータをサブフレームｎ＋４で送信することができ、ＣＱＩレポートをサブフレームｎ＋１２で送信することができる。別の設計では、ＵＥはトラヒックデータとＣＱＩレポートの両方をサブフレームｎ＋１２で送信することができる。トラヒックデータおよびＣＱＩレポートは他の方法で送信されることもできる。
【００７２】
サブバンドＣＱＩおよび／または広帯域ＣＱＩをレポートするようにＵＥを構成することができる。システム帯域幅を複数のサブバンドに区画することができ、各サブバンドは１つまたは複数のリソースブロックをカバーすることができる。サブバンドＣＱＩは、特定のサブバンドに対して決定されることができる。広帯域ＣＱＩは、全体的なシステム帯域幅に対して決定されることができる。
【００７３】
ＵＥは、ダウンリンクで複数入力複数出力（ＭＩＭＯ）伝送をサポートすることができる。ＭＩＭＯの場合、ｅＮＢは、ＵＥの複数の受信アンテナに対して、ｅＮＢの複数の送信アンテナを介して同時に１つまたは複数のパケット（またはコードワード）を送信することができる。ＵＥは、ｅＮＢからＵＥへのＭＩＭＯチャネルを評価することができ、良好なＭＩＭＯ伝送性能を提供することのできるプリコーディング情報を決定することができる。プリコーディング情報は、（ｉ）送信すべきパケットがどれだけあるかを示すランク指標（ＲＩ）、および／または（ｉｉ）送信前にデータをプリコードするためにｅＮＢによって使用されるべきプリコーディングマトリクスを示すプリコーディングマトリクスインジケータ（ＰＭＩ）を含むことができる。ＲＩはＣＱＩおよびＰＭＩよりもゆっくりと変化しうる。複数のＭＩＭＯモードがサポートされうる。プリコーディングマトリクスは、いくつかのＭＩＭＯモードでＵＥによって選択され、レポートされうる。プリコーディングマトリクスは、いくつかの他のＭＩＭＯモードでｅＮＢによって選択されうる（したがって、ＵＥによってレポートはされない）。
【００７４】
ＭＩＭＯの場合、Ｌ個のパケットがプリコーディングマトリクスによって形成されたＬ個の層を介して送信されうるが、ここで、ＬはＲＩによって示されることができ、１、２、などと等しくできる。いくつかのＭＩＭＯモードでは、Ｌ個の層は類似のＳＩＮＲを観測することができ、単一ＣＱＩがすべてのＬ個の層にレポートされうる。例えば、ＬＴＥの大きな遅延巡回遅延ダイバーシティ（ＣＤＤ）モードはすべての層にわたってＳＩＮＲを等しくするよう試みることができる。いくつかの他のＭＩＭＯモードでは、Ｌ個の層は異なるＳＩＮＲを観測することができ、１つのＣＱＩが各層に対してレポートされうる。この場合、シグナリングオーバヘッドを低減するために差分符号化を使用することができる。差分符号化を使用すると、第１の層に対するＣＱＩは絶対値で送られることができ、ベースＣＱＩと称されることができる。別の層に対する別のＣＱＩは、ベースＣＱＩに対する相対値で送られることができ、差分ＣＱＩと称されることができる。
【００７５】
ＭＩＭＯをサポートするために、ＵＥは、Ｌ個の層に対するＬ個までのＣＱＩ、ＲＩ、およびＰＭＩを決定し、レポートすることができる。ＵＥは、ＬＴＥで定義されている様々なＰＵＣＣＨレポートタイプを使用してこれらのＣＱＩ、ＲＩ、およびＰＭＩを送ることができる。リソース区画を用いたＭＩＭＯをサポートするために、ＵＥは、（ｉ）保護されたサブフレームに対してＬ個の層に対するＬ個までのクリーンなＣＱＩ、クリーンなＲＩ、およびクリーンなＰＭＩと、（ｉｉ）少なくとも１つの保護されていないサブフレームに対してＬ個の層に対するＬ個までのアンクリーンなＣＱＩ、アンクリーンなＲＩ、およびアンクリーンなＰＭＩを決定し、レポートすることができる。ＲＩはチャネル品質によって異なりうるものであり、保護されたサブフレームと保護されていないサブフレームとで異なりうるものである。したがって、ＲＩは、保護されたサブフレームと保護されていないサブフレームとで別々に決定され、レポートされうる。ＰＭＩはチャネル利得によって異なりうるものであり、保護されたサブフレームと保護されていないサブフレームの両方で類似でありうる。この場合、ＰＭＩは１つまたは複数のクリーンなＣＱＩだけ、または１つまたは複数のアンクリーンなＣＱＩだけとともにレポートされうる。ＰＭＩはまた、時変(time-varying)チャネルの理由から、または協調ビームフォーミング（ＣＢＦ）などの協調マルチポイント（ＣｏＭＰ）送信のために、異なるサブフレームでも異なりうる。この場合、ＰＭＩはクリーンなＣＱＩとアンクリーンなＣＱＩとともにレポートされうる。
【００７６】
一般的に、ＵＥは、１つのレポートでクリーンなチャネルフィードバック情報とアンクリーンなチャネルフィードバック情報とを送信することができる。チャネルフィードバック情報は、ＣＱＩ、またはＲＩ、またはＰＭＩ、または何らかの他の情報、またはこれらの組み合わせを備えることができる。クリーンなチャネルフィードバック情報は、保護されたサブフレームに関するチャネルフィードバック情報に言及しうる。アンクリーンなチャネルフィードバック情報は、保護されていないサブフレームに関するチャネルフィードバック情報に言及しうる。ＵＥは、１つまたは複数のクリーンなＣＱＩ、１つまたは複数のアンクリーンなＣＱＩ、クリーンなＲＩ、アンクリーンなＲＩ、クリーンなＰＭＩ、アンクリーンなＰＭＩ、またはこれらの組み合わせをレポートで送ることができる。いくつかの態様によれば、１つのクリーンなＣＱＩと１つのアンクリーンなＣＱＩとをレポートすることができる。別の設計では、クリーンなＲＩによって示された各層に対して１つのクリーンなＣＱＩをレポートすることができ、アンクリーンなＲＩによって示された各層に対して１つのアンクリーンなＣＱＩをレポートすることができる。いくつかの態様によれば、クリーンなＲＩとアンクリーンなＲＩは、保護されたサブフレームと保護されていないサブフレームに対して独立して決定されうる。別の設計では、アンクリーンなＲＩは１つまたはクリーンなＲＩに設定されることができ、レポートされなくてよい。いくつかの態様によれば、単一のＰＭＩが、保護されたサブフレームと保護されていないサブフレームの両方に対してレポートされうる。別の設計では、クリーンなＰＭＩとアンクリーンなＰＭＩとの両方がレポートされうる。
【００７７】
図１０は、ＬＴＥのＦＤＤに対する構成可能な測定サブフレームと構成可能なレポートサブフレームによるクリーンなチャネルフィードバック情報とアンクリーンなチャネルフィードバック情報の非周期的レポートの設計を示す。ｅＮＢはＵＥからチャネルフィードバック情報を受信することを望みうる。ｅＮＢはまた、サブフレームｎでＵＥへのチャネルフィードバック要求を送信することができる。ＵＥは要求を受信することができ、それに応答して、サブフレームｎ＋ｍおよび／または他のサブフレームに対するクリーンなＣＱＩおよびアンクリーンなＣＱＩ、クリーンなＲＩおよびアンクリーンなＲＩ、クリーンなＰＭＩおよびアンクリーンなＰＭＩ、またはそれらのいかなる組み合わせをも決定することができる。次いでＵＥは、クリーンなＣＱＩおよびアンクリーンなＣＱＩ、クリーンなＲＩおよびアンクリーンなＲＩ、クリーンなＰＭＩおよびアンクリーンなＰＭＩ、またはそれらのいかなる組み合わせをも備えるレポートをサブフレームｎ＋ｋでｅＮＢに送信することができる。
【００７８】
ＬＴＥ  Ｒｅｌｅａｓｅ  ８は、ＣＱＩ、ＲＩ、およびＰＭＩの異なる組み合わせを送るために使用することのできる４つのＰＵＣＣＨレポートタイプをサポートする。ＬＴＥ  Ｒｅｌｅａｓｅ  ８はまた、異なるＰＵＣＣＨレポートモードもサポートする。例えば、ＰＵＣＣＨレポートモード１−０および１−１は広帯域ＣＱＩを送るために使用されることができる。ＰＵＣＣＨレポートモード２−０および２−１は、１つまたは複数の帯域幅部分（ＢＰ）に対してサブバンドＣＱＩを送るために使用されることができる。ＬＴＥ  Ｒｅｌｅａｓｅ  ８のＰＵＣＣＨレポートタイプおよびＰＵＣＣＨレポートモードは、公開されている「発展型ユニバーサル地上無線アクセス（Ｅ−ＵＴＲＡ）；物理層プロシージャ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ）」と題する３ＧＰＰ  ＴＳ  ３６．２１３に記載されている。
【００７９】
別の態様では、クリーンなチャネルフィードバック情報とアンクリーンなチャネルフィードバック情報のレポートをサポートするために追加のＰＵＣＣＨレポートタイプが定義されうる。いくつかの態様によれば、表２に列挙する１つまたは複数のＰＵＣＣＨレポートタイプがサポートされうる。クリーンなチャネルフィードバック情報とアンクリーンなチャネルフィードバック情報に関して、他のＰＵＣＣＨレポートタイプもサポートされうる。
【表２】
2013528031.tif 000004
【００８０】
ＬＴＥ  Ｒｅｌｅａｓｅ  ８は、アップリンク制御情報（ＵＣＩ）を送るために使用することのできる６つのＰＵＣＣＨフォーマットをサポートする。ＬＴＥ  Ｒｅｌｅａｓｅ  ８によってサポートされるこれらのＰＵＣＣＨは、公開されている「発展型ユニバーサル地上無線アクセス（Ｅ−ＵＴＲＡ）；物理チャネルおよび変調（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ）」と題する３ＧＰＰ  ＴＳ  ３６．２１１に記載されている。
【００８１】
いくつかの態様によれば、クリーンなＣＱＩとアンクリーンなＣＱＩを搬送するレポートを送るために、ＰＵＣＣＨフォーマット２、２ａ、および２ｂが使用されうる。例えば、ＰＵＣＣＨフォーマット２は、ＨＡＲＱに対するＡＣＫ／ＮＡＣＫフィードバックと多重化されない場合は、ＣＱＩ／ＰＭＩレポート、またはＲＩレポート、またはデュアルＣＱＩ／ＰＭＩレポート、またはデュアルＲＩレポートのために使用されることができる。ＰＵＣＣＨフォーマット２ａは、通常のサイクリックプレフィックスに対する１ビットのＡＣＫ／ＮＡＣＫフィードバックと多重化される場合は、ＣＱＩ／ＰＭＩレポート、またはＲＩレポート、またはデュアルＣＱＩ／ＰＭＩレポート、またはデュアルＲＩレポートのために使用されることができる。ＰＵＣＣＨフォーマット２ｂは、通常のサイクリックプレフィックスに対する２ビットのＡＣＫ／ＮＡＣＫフィードバックと多重化される場合は、ＣＱＩ／ＰＭＩレポート、またはＲＩレポート、またはデュアルＣＱＩ／ＰＭＩレポート、またはデュアルＲＩレポートのために使用されることができる。ＰＵＣＣＨフォーマット２は、拡張サイクリックプレフィックスに対するＡＣＫ／ＮＡＣＫフィードバックと多重化される場合は、ＣＱＩ／ＰＭＩレポート、またはＲＩレポート、またはデュアルＣＱＩ／ＰＭＩレポート、またはデュアルＲＩレポートのために使用されることができる。
【００８２】
図１１は、チャネルフィードバック情報をレポートするための動作例１１００を示す。動作１１００は、例えば、ＵＥによって（以下に説明するように）または何らかの他のエンティティによって実行されることができる。ＵＥは、第１のサブフレームでＣＱＩ要求を受信することができる（ブロック１１１２）。ＵＥは、第１のサブフレームからの第１のオフセットを有する第２のサブフレームに対して第１のＣＱＩを決定することができる（ブロック１１１４）。ＵＥは、第１のサブフレームからの第２のオフセットを有する第３のサブフレームにおいて第１のＣＱＩを備えるレポートを送信することができる（ブロック１１１６）。その後、ＵＥは、第１のＣＱＩに基づいて送信されたデータ伝送を受信することができる（ブロック１１１８）。
【００８３】
上記のように、第１のオフセット（オフセットｍ）は構成可能であり得る。いくつかの態様によれば、ＵＥは、上位層のシグナリングによるかまたはＣＱＩ要求によって第１のオフセットを受信することができる。別の設計では、ＵＥは、可能なオフセットの範囲全体を循環し、ＣＱＩ要求ごとに異なるオフセットを選択することによって第１のオフセットを決定することができる。第１のオフセットを、他の方法で決定することもできる。
【００８４】
いくつかの態様によれば、第２のオフセット（オフセットｋ）を固定することができる。別の設計では、第２のオフセットは構成可能であり得、また、上位層のシグナリングによるかまたは要求によってＵＥにより受信されることができる。第２のオフセットは、１つのインタレースの異なるサブフレームに対応する複数の可能なオフセットのうちの１つであり得る。例えば、インタレースが８個のサブフレームの間隔をとったサブフレームを含む場合、第２のオフセットは４または１２に等しくできる。
【００８５】
いくつかの態様によれば、ＵＥは、第３のサブフレームの前の少なくとも１つの追加サブフレームに対して第２のＣＱＩを決定することができる。この場合、レポートは第１と第２のＣＱＩを備えうる。第２のサブフレームが基地局に割り当てられ、少なくとも１つの干渉する基地局からの低減された干渉を有するかまたは少なくとも１つの干渉する基地局からの干渉を有しない。その少なくとも１つの追加サブフレームを、基地局に割り当てないことができる。第１のＣＱＩはクリーンなＣＱＩであることができ、第２のＣＱＩはアンクリーンなＣＱＩであることができる。いくつかの態様によれば、ＵＥは、単一のサブフレームに対する単一のＣＱＩまたは複数のサブフレームに対する複数のＣＱＩをレポートする指示を（例えば、上位層のシグナリングによるかまたはＣＱＩ要求によって）受信することができる。ＵＥは、（ｉ）指示が単一のＣＱＩをレポートすることを示している場合は第１のＣＱＩだけ、（ｉｉ）指示が複数のＣＱＩをレポートすることを示している場合は第１と第２のＣＱＩを決定することができる。
【００８６】
ＵＥは、ＭＩＭＯをサポートすることができる。いくつかの態様によれば、ＵＥは、第２のサブフレームに対して第１のＲＩを決定することができ、レポートはさらに第１のＲＩを備えうる。ＵＥはまた、第２のサブフレームに対してＰＭＩも決定することができ、レポートはさらにＰＭＩを備えうる。ＵＥはさらに、少なくとも１つの追加サブフレームに対して第２のＲＩを決定することができ、レポートは第２のＲＩをさらに備えうる。一般的に、ＵＥは、１つまたは複数のサブフレームに対して１つまたは複数のＣＱＩを決定してレポートするか、または１つまたは複数のサブフレームに対して１つまたは複数のＲＩを決定してレポートするか、または１つまたは複数のサブフレームに対して１つまたは複数のＰＭＩを決定してレポートするか、またはこれらの任意の組み合わせを決定してレポートすることができる。
【００８７】
ＵＥは、第１のサブフレーム（例えば、サブフレームｎ）でダウンリンク許可とＣＱＩ要求とを受信することができる。いくつかの態様によれば、ＵＥは、第１のサブフレーム（例えば、サブフレームｎ）でデータ伝送を受信することができ、第３のサブフレームの前の第４のサブフレーム（例えば、サブフレームｎ＋４）でデータ伝送に対するＡＣＫまたはＮＡＣＫを送信することができる。別の設計では、ＵＥは、第１のサブフレームでデータ伝送を受信することができ、第３のサブフレーム（例えば、サブフレームｎ＋１２）でＡＣＫ／ＮＡＣＫおよびレポートを送信することができる。さらに別の設計では、ＵＥは、第１のサブフレームからの固定のオフセットを有するサブフレーム（例えば、サブフレームｎ＋８）でデータ伝送を受信することができ、第３のサブフレームでＡＣＫ／ＮＡＣＫおよびレポートを送信することができる。ＵＥは、他の方法によりダウンリンクでデータ伝送を受信し、アップリンクでＡＣＫ／ＮＡＣＫを送信することもできる。
【００８８】
ＵＥは、第１のサブフレーム（例えば、サブフレームｎ）でアップリンク許可とＣＱＩ要求とを受信することができる。いくつかの態様によれば、ＵＥは、第１のサブフレームからの固定のオフセットを有し、第３のサブフレームの前にあるサブフレーム（例えば、サブフレームｎ＋４）でデータ伝送を送信することができる。別の設計では、ＵＥは、第３のサブフレーム（例えば、サブフレームｎ＋１２）でデータ伝送およびレポートを送信することができる。ＵＥはまた、アップリンクのデータ伝送を他の方法で送信することができる。
【００８９】
図１２は、チャネルフィードバック情報を受信するための動作例１２００を示す。動作１２００は、基地局／ｅＮＢによって（以下に説明するように）または何らかの他のエンティティによって実行されることができる。基地局は、第１のサブフレームでＣＱＩ要求を送信することができる（ブロック１２１２）。基地局は、第１のサブフレームからの第１のオフセットを有する第２のサブフレームに対して決定された第１のＣＱＩを備えるレポートを受信することができる（ブロック１２１４）。基地局は、第１のサブフレームからの第２のオフセットを有する第３のサブフレームでレポートを受信することができる。その後、基地局は、第１のＣＱＩに基づいてデータ伝送を送信することができる（ブロック１２１６）。
【００９０】
第１のオフセット（オフセットｍ）は構成可能であり得る。いくつかの態様によれば、基地局は、上位層のシグナリングによるかまたはＣＱＩ要求によって第１のオフセットを送信することができる。別の設計では、可能なオフセットの範囲全体を循環し、ＣＱＩ要求ごとに異なるオフセットを選択することによって第１のオフセットを決定することができる。第１のオフセットを、他の方法で決定することもできる。
【００９１】
いくつかの態様によれば、第２のオフセット（オフセットｋ）を固定することができる。別の設計では、第２のオフセットは構成可能であり得、また、上位層のシグナリングによるかまたは要求によって基地局により送信されることができる。第２のオフセットは、１つのインタレースの異なるサブフレームに対応する複数の可能なオフセット（例えば、４および１２）のうちの１つであり得る。
【００９２】
基地局は、レポートから他のチャネルフィードバック情報を入手することもできる。いくつかの態様によれば、基地局は、第３のサブフレームの前の少なくとも１つの追加サブフレームに対して決定された第２のＣＱＩを入手することができる。第２のサブフレームが基地局に割り当てられ、少なくとも１つの干渉する基地局からの低減された干渉を有するかまたは少なくとも１つの干渉する基地局からの干渉を有しない。その少なくとも１つの追加サブフレームを、基地局に割り当てないことができる。第１のＣＱＩはクリーンなＣＱＩであり得、第２のＣＱＩはアンクリーンなＣＱＩであり得る。いくつかの態様によれば、基地局は、単一のサブフレームに対する単一のＣＱＩまたは複数のサブフレームに対する複数のＣＱＩをレポートする指示を（例えば、上位層のシグナリングによるかまたはＣＱＩ要求によって）送信することができる。基地局は、（ｉ）指示が単一のＣＱＩをレポートすることを示している場合は第１のＣＱＩだけ、または（ｉｉ）指示が複数のＣＱＩをレポートすることを示している場合は第１と第２のＣＱＩを受信することができる。
【００９３】
基地局は、ＭＩＭＯをサポートすることができ、レポートからＭＩＭＯ関連のチャネルフィードバック情報を入手することができる。いくつかの態様によれば、基地局は、第２のサブフレームに対して決定された第１のＲＩを入手することができる。基地局は、第２のサブフレームに対して決定されたＰＭＩを入手することもできる。基地局は、少なくとも１つの追加サブフレームに対して決定された第２のＲＩを入手することもできる。一般的に、基地局は、レポートから、１つまたは複数のサブフレームに対する１つまたは複数のＣＱＩを入手するか、または１つまたは複数のサブフレームに対する１つまたは複数のＲＩを入手するか、または１つまたは複数のサブフレームに対する１つまたは複数のＰＭＩを入手するか、またはこれらの任意の組み合わせを入手することができる。
【００９４】
基地局は、第１のサブフレーム（例えば、サブフレームｎ）でダウンリンク許可とＣＱＩ要求とを送信することができる。いくつかの態様によれば、基地局は、第１のサブフレーム（例えば、サブフレームｎ）でデータ伝送を送信することができ、第３のサブフレームの前の第４のサブフレーム（例えば、サブフレームｎ＋４）でデータ伝送に対するＡＣＫまたはＮＡＣＫを受信することができる。別の設計では、基地局は、第１のサブフレームでデータ伝送を送信することができ、第３のサブフレーム（例えば、サブフレームｎ＋１２）でＡＣＫ／ＮＡＣＫおよびレポートを受信することができる。さらに別の設計では、基地局は、第１のサブフレームからの固定のオフセットを有するサブフレーム（例えば、サブフレームｎ＋８）でデータ伝送を送信することができ、第３のサブフレームでＡＣＫ／ＮＡＣＫおよびレポートを受信することができる。基地局は、他の方法によりダウンリンクでデータ伝送を送信し、アップリンクでＡＣＫ／ＮＡＣＫを受信することもできる。
【００９５】
基地局は、第１のサブフレーム（例えば、サブフレームｎ）でアップリンク許可とＣＱＩ要求とを送信することができる。いくつかの態様によれば、基地局は、第１のサブフレームからの固定のオフセットを有し、第３のサブフレームの前にあるサブフレーム（例えば、サブフレームｎ＋４）でデータ伝送を受信することができる。別の設計では、基地局は、第３のサブフレーム（例えば、サブフレームｎ＋１２）でデータ伝送およびレポートを受信することができる。基地局はまた、アップリンクで送信されたデータ伝送を他の方法で受信することができる。
【００９６】
当業者には、情報および信号は、様々な異なるテクノロジーおよびテクニックのいずれかを使用して表現されうることが理解されよう。例えば、上記の説明を通して参照されうるデータ、命令、コマンド、情報、信号、ビット、シンボル、およびチップは、電圧、電流、電磁波、磁界すなわち磁性粒子、光学場すなわち光学粒子、またはこれらの任意の組み合わせによって表現されうる。
【００９７】
当業者には、本明細書の開示に関連して記載した説明のための様々な論理ブロック、モジュール、回路、およびアルゴリズムステップは、電子ハードウェア、コンピュータソフトウェア、またはこの両方の組み合わせとして実施されうることがさらに理解されよう。ハードウェアとソフトウェアのこの互換性を明瞭に説明するために、説明のための様々な構成要素、ブロック、モジュール、回路、およびステップをそれらの機能に関して全般的に上記で説明した。このような機能がハードウェアとして実施されるかソフトウェアとして実施されるかは、特定の適用例とシステム全体に課された設計上の制約とにより異なる。当業者は、上記の機能を特定の適応例ごとに様々な方法で実施することができるが、そのような実施の決定が本開示の範囲を逸脱する原因となるものと理解されるべきではない。
【００９８】
本明細書の開示に関連して記載した説明のための様々な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラム可能な論理デバイス、ディスクリートゲートすなわちトランジスタ論理回路、ディスクリートハードウェアコンポーネント、または本明細書に記載の機能を実行するように設計されたこれらの任意の組み合わせによって実施、すなわち実行されうる。汎用プロセッサはマイクロプロセッサであってよいが、代替形態としてプロセッサは、いかなる従来のプロセッサ、コントローラ、マイクロコントローラ、または状態機械であってもよい。プロセッサは、コンピューティングデバイスの組み合わせ、例えば、ＤＳＰおよびマイクロプロセッサ、複数のマイクロプロセッサ、ＤＳＰコアと連係する１つまたは複数のマイクロプロセッサ、またはいかなる他のこのような構成の組み合わせとして実施することもできる。
【００９９】
本明細書の開示に関連して記載した方法またはアルゴリズムのステップは、ハードウェアで直接的に、またはプロセッサによって実行されるソフトウェアモジュールで、またはこれら２つの組み合わせで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、または当技術分野で周知のいかなる他の形式の記憶媒体に常駐することができる。例示の記憶媒体は、その記憶媒体からプロセッサが情報を読み取り、その記憶媒体にプロセッサが情報を書き込むことができるようにプロセッサに連結される。代替形態では、記憶装置はプロセッサと一体であってよい。プロセッサと記憶装置はＡＳＩＣに常駐することができる。ＡＳＩＣはユーザ端末に常駐することができる。代替形態では、プロセッサと記憶装置は、１つのユーザ端末にそれぞれ別個の構成要素として常駐することができる。
【０１００】
１つまたは複数の設計例では、説明した機能は、ハードウェア、ソフトウェア、ファームウエア、またはそれらのいくつかの組み合わせとして実施することができる。ソフトウェアとして実施された場合、これらの機能は、１つまたは複数の命令またはコードとしてコンピュータ可読媒体に記憶することができるか、またはコンピュータ可読媒体を介して送ることができる。コンピュータ可読媒体は、１つの場所から別の場所にコンピュータプログラムを移動することを容易にするいかなる媒体をも含むコンピュータ記憶媒体および通信媒体の両方を含む。記憶媒体は、汎用コンピュータまたは専用コンピュータによってアクセスすることのできるいかなる使用可能な媒体であってもよい。例示としてであって限定ではないが、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶装置デバイス、または所望のプログラムコード手段を命令またはデータ構造の形式で担持または記憶するために使用することができ、汎用コンピュータまたは専用コンピュータまたは汎用プロセッサまたは専用プロセッサによってアクセスすることができるいかなる他の媒体を備えることができる。同様に、いかなる接続も適切にコンピュータ可読媒体と称される。例えば、ソフトウェアが同軸ケーブル、光ファイバーケーブル、より対線、デジタル加入者回線（ＤＳＬ）、または赤外線、無線、およびマイクロ波といったワイヤレス技術を使用してウェブサイト、サーバ、または他の遠隔の送信元から送信される場合、その同軸ケーブル、光ファイバーケーブル、より対線、ＤＳＬ、または赤外線、無線、およびマイクロ波といったワイヤレス技術は、媒体の定義に含まれる。本明細書で使用されるディスク（ｄｉｓｋ）およびディスク（ｄｉｓｃ）は、通常はディスク（ｄｉｓｋ）が磁気的にデータを再生し、一方、ディスク（ｄｉｓｃ）がレーザによって光学的にデータを再生する場合に、コンパクトディスク（ＣＤ）、レーザディスク、光ディスク、デジタル多用途ディスク（ＤＶＤ）、フロッピー（登録商標）ディスク、およびブルーレイディスク（登録商標）を含む。上記の組み合わせも、コンピュータ可読媒体の範囲に含まれるべきである。
【０１０１】
本開示の以上の説明は、当業者が本開示を作成または利用できるように提供された。本開示に対する様々な変形形態は当業者に容易に明らかになろう。本明細書で定義した一般的な原理は、本開示の趣旨または範囲を逸脱せずに他の変形例に適用することができる。したがって、本開示は、本明細書に記載の実施例および設計に限定されることは意図されず、本明細書で開示した原理および新規の特徴と一貫した最大範囲に一致するものである。
【図１】
2013528031.tif 000005
【図２】
2013528031.tif 000006
【図３】
2013528031.tif 000007
【図４】
2013528031.tif 000008
【図５】
2013528031.tif 000009
【図６】
2013528031.tif 000010
【図７】
2013528031.tif 000011
【図８】
2013528031.tif 000012
【図９】
2013528031.tif 000013
【図１０】
2013528031.tif 000014
【図１１】
2013528031.tif 000015
【図１２】
2013528031.tif 000016
【国際調査報告】
2013528031.tif 000017
2013528031.tif 000018